【手続補正書】
【提出日】平成19年3月9日(2007.3.9)
【手続補正１】
【補正対象書類名】特許請求の範囲
【補正対象項目名】全文
【補正方法】変更
【補正の内容】
【特許請求の範囲】
【請求項１】
４つの第１スイッチング素子を含んで構成され、直流入力電圧に基づいて入力交流電圧を生成するフルブリッジ型の第１ブリッジ回路と、
前記第１スイッチング素子に対してそれぞれ並列接続された第１容量素子と、
前記第１ブリッジ回路にＨブリッジ接続され、前記第１容量素子と共に第１共振回路を構成する第１インダクタと、
前記入力交流電圧を変圧して出力交流電圧を生成する第１トランスと、
前記第１トランスの２次側に設けられると共に複数の第１整流素子を含んで構成され、これら複数の第１整流素子によって前記出力交流電圧を整流することにより直流出力電圧を生成する整流回路と、
互いに直列接続された状態で前記第１ブリッジ回路に並列接続され、前記第１スイッチング素子のうち互いに直列接続された一対のスイッチング素子と共に第２ブリッジ回路を構成する一対の第２容量素子と、
前記第２ブリッジ回路にＨブリッジ接続され、前記第２容量素子と共に第２共振回路を構成する第２インダクタと、
前記第２ブリッジ回路からの入力電圧を変圧して出力電圧を生成し、この出力電圧を前記整流回路へ供給する第２トランスと、
前記第１ブリッジ回路および前記第２ブリッジ回路をそれぞれ駆動する駆動回路と
を備えたことを特徴とするスイッチング電源装置。
【請求項２】
前記第２ブリッジ回路は、前記一対の第２容量素子にそれぞれ並列接続された第３スイッチング素子をさらに有し、
前記第１トランスの１次側巻線と２次側巻線との巻き数比は、前記第２トランスの１次側巻線と２次側巻線との巻き数比とは異なり、
前記駆動回路は、前記直流入力電圧の大きさに応じて前記第１ブリッジ回路と前記第２ブリッジ回路とを選択的に動作させる
ことを特徴とする請求項１に記載のスイッチング電源装置。
【請求項３】
前記第３スイッチング素子は電界効果型トランジスタにより構成され、
前記第２容量素子は、前記電界効果型トランジスタの寄生容量により構成されている
ことを特徴とする請求項２に記載のスイッチング電源装置。
【請求項４】
前記第２ブリッジ回路は、前記一対の第２容量素子の少なくとも一方と並列に逆極性接続された第２整流素子をさらに有する
ことを特徴とする請求項１に記載のスイッチング電源装置。
【請求項５】
前記第２ブリッジ回路は、前記第１のブリッジ回路と並列接続された電界効果型トランジスタを含み、
前記第２整流素子は、前記電界効果型トランジスタの寄生ダイオードにより構成され、
前記第２容量素子は、前記電界効果型トランジスタの寄生容量により構成されている
ことを特徴とする請求項４に記載のスイッチング電源装置。
【請求項６】
前記第１のスイッチング素子は電界効果型トランジスタにより構成され、
前記第１容量素子が、前記電界効果型トランジスタの寄生容量により構成されている
ことを特徴とする請求項１ないし請求項５のいずれか１項に記載のスイッチング電源装置。
【請求項７】
前記第１のスイッチング素子は電界効果型トランジスタにより構成され、
前記第１整流素子が、前記電界効果型トランジスタの寄生ダイオードにより構成されている
ことを特徴とする請求項１ないし請求項６のいずれか１項に記載のスイッチング電源装置。
【請求項８】
４つの第１スイッチング素子を含んで構成され、直流入力電圧に基づいて入力交流電圧を生成するフルブリッジ型の第１ブリッジ回路と、
前記第１スイッチング素子に対してそれぞれ並列接続された第１容量素子と、
前記第１ブリッジ回路にＨブリッジ接続され、前記第１容量素子と共に第１共振回路を構成する第１インダクタと、
前記入力交流電圧を変圧して出力交流電圧を生成する第１トランスと、
前記第１トランスの２次側に設けられると共に複数の第１整流素子を含んで構成され、これら複数の第１整流素子によって前記出力交流電圧を整流することにより直流出力電圧を生成する整流回路と、
互いに直列接続された一対の第２スイッチング素子と互いに直列接続された一対の第２容量素子とを含んで構成されると共に、前記第１ブリッジ回路に並列接続された第２ブリッジ回路と、
前記第２ブリッジ回路にＨブリッジ接続され、前記第２容量素子と共に第２共振回路を構成する第２インダクタと、
前記第２ブリッジ回路からの入力電圧を変圧して出力電圧を生成し、この出力電圧を前記整流回路へ供給する第２トランスと、
前記第１ブリッジ回路および前記第２ブリッジ回路をそれぞれ駆動する駆動回路と
を備えたことを特徴とするスイッチング電源装置。
【請求項９】
前記整流回路は、２つの前記第１整流素子を含んで構成されたセンタタップ型整流回路である
ことを特徴とする請求項１ないし請求項８のいずれか１項に記載のスイッチング電源装置。
【請求項１０】
前記整流回路は、４つの前記第１整流素子を含んで構成されたフルブリッジ型整流回路である
ことを特徴とする請求項１ないし請求項８のいずれか１項に記載のスイッチング電源装置。
【請求項１１】
前記第１トランスおよび前記第２トランスは単一の磁気素子から構成され、
前記磁気素子は、
中足部と、この中足部を共有しつつ中足部と共にループ磁路をそれぞれ構成する複数の外足部とを含んで構成された磁芯と、
前記中足部に巻回され、前記入力交流電圧または前記入力電圧の一方の電圧が入力される入力中足コイルと、
前記中足部に巻回され、前記出力交流電圧または前記出力電圧の一方の電圧を出力する出力中足コイルと、
前記外足部に巻回され、前記入力交流電圧または前記入力電圧の他方の電圧が入力される入力外足コイルと、
前記外足部に巻回され、前記出力交流電圧または前記出力電圧の他方の電圧を出力する出力外足コイルと
を備え、
前記入力外足コイルは、それぞれ、一のループ磁路の外足部に巻回された第１の入力外足コイル部と、他の一のループ磁路の外足部に巻回された第２の入力外足コイル部とを直列に接続してなり、
前記出力外足コイルは、それぞれ、前記一のループ磁路の外足部に巻回された第１の出力外足コイル部と、前記他の一のループ磁路の外足部に巻回された第２の出力外足コイル部とを直列に接続してなり、
前記第１および第２の入力外足コイル部の巻き方向が同極性方向であると共に、前記第１および第２の入力外足コイル部の巻数が互いに等しく、かつ、
前記第１および第２の出力外足コイル部の巻き方向が同極性方向であると共に、前記第１および第２の出力外足コイル部の巻数が互いに等しく、
前記入力外足コイルは、この入力外足コイルを流れる電流によって前記複数の外足部にそれぞれ生ずる磁束が前記中足部において互いに相殺し合うような態様で前記外足部に巻回され、かつ、
前記出力外足コイルは、この出力外足コイルを流れる電流によって前記複数の外足部にそれぞれ生ずる磁束が前記中足部において互いに相殺し合うような態様で前記外足部に巻回されている
ことを特徴とする請求項１ないし請求項１０のいずれか１項に記載のスイッチング電源装置。
【請求項１２】
直流入力電圧をスイッチングして入力交流電圧を生成するフルブリッジ型のブリッジ回路と、
前記入力交流電圧を変圧して出力交流電圧を生成するトランスと、
前記トランスの２次側に設けられると共に複数の整流素子を含んで構成され、これら複数の整流素子によって前記出力交流電圧を整流することにより直流出力電圧を生成する整流回路と、
前記ブリッジ回路に並列接続され、前記整流素子に加わるサージ電圧を抑止するサージ電圧抑止エネルギーを前記整流回路内に注入するサージ電圧抑止回路と、
前記ブリッジ回路および前記サージ電圧抑止回路をそれぞれ駆動する駆動回路と
を備えたことを特徴とするスイッチング電源装置。
【請求項１３】
前記駆動回路は、前記サージ電圧抑止エネルギーが、前記ブリッジ回路から供給されるサージ電圧増幅エネルギーとは逆位相となるように、前記ブリッジ回路および前記サージ電圧抑止回路をそれぞれ駆動する
ことを特徴とする請求項１２に記載のスイッチング電源装置。
【請求項１４】
前記駆動回路は、前記ブリッジ回路から供給される前記サージ電圧を増幅する方向の第１の電流と、前記サージ電圧抑止エネルギーに基づく前記サージ電圧を抑止する方向の第２の電流とがつり合うことにより、一定期間、前記整流素子に加わる逆電圧が、前記直流入力電圧と前記トランスの１次側および２次側巻線とから定まる電圧よりも低い状態を保つこととなるように、前記ブリッジ回路および前記サージ電圧抑止回路をそれぞれ駆動する
ことを特徴とする請求項１２に記載のスイッチング電源装置。
【請求項１５】
前記駆動回路は、前記サージ電圧抑止エネルギーの注入によって、前記整流素子に加わる逆電圧が段階的に上昇するように、前記ブリッジ回路および前記サージ電圧抑止回路をそれぞれ駆動する
ことを特徴とする請求項１２に記載のスイッチング電源装置。
【請求項１６】
スイッチング電源装置に対して適用される電圧変換方法であって、
フルブリッジ型のブリッジ回路によって直流入力電圧をスイッチングすることで入力交流電圧を生成し、
トランスによって前記入力交流電圧を変圧することで出力交流電圧を生成し、
前記トランスの２次側に設けられると共に複数の整流素子を含んで構成された整流回路によって、前記出力交流電圧を整流して直流出力電圧を生成し、
前記ブリッジ回路に並列接続されたサージ電圧抑止回路によって、前記整流素子に加わるサージ電圧抑止エネルギーを前記整流回路内に注入する
ことを特徴とする電圧変換方法。
【手続補正２】
【補正対象書類名】明細書
【補正対象項目名】００１０
【補正方法】変更
【補正の内容】
【００１０】
本発明の第１のスイッチング電源装置は、４つの第１スイッチング素子を含んで構成され、直流入力電圧に基づいて入力交流電圧を生成するフルブリッジ型の第１ブリッジ回路と、これら第１スイッチング素子に対してそれぞれ並列接続された第１容量素子と、第１ブリッジ回路にＨブリッジ接続され、第１容量素子と共に第１共振回路を構成する第１インダクタと、上記入力交流電圧を変圧して出力交流電圧を生成する第１トランスと、第１トランスの２次側に設けられると共に複数の第１整流素子を含んで構成され、これら複数の第１整流素子によって出力交流電圧を整流することにより直流出力電圧を生成する整流回路と、互いに直列接続された状態で第１ブリッジ回路に並列接続され、第１スイッチング素子のうち互いに直列接続された一対のスイッチング素子と共に第２ブリッジ回路を構成する一対の第２容量素子と、この第２ブリッジ回路にＨブリッジ接続され、第２容量素子と共に第２共振回路を構成する第２インダクタと、第２ブリッジ回路からの入力電圧を変圧して出力電圧を生成し、この出力電圧を前記整流回路へ供給する第２トランスと、第１ブリッジ回路および第２ブリッジ回路をそれぞれ駆動する駆動回路とを備えたものである。
【手続補正３】
【補正対象書類名】明細書
【補正対象項目名】００１１
【補正方法】変更
【補正の内容】
【００１１】
本発明の第１のスイッチング電源装置では、第１ブリッジ回路へ入力された直流入力電圧から入力交流電圧が生成され、さらにこの入力交流電圧が第１トランスによって変圧されることで、出力交流電圧が生成される。そしてこの出力交流電圧が整流回路内の第１整流素子によって整流され、直流出力電圧として出力される。また、第１容量素子と第１インダクタとが、そして第２容量素子と第２インダクタとが、それぞれ協働してＬＣ直列共振回路として機能することで、第１および第２の共振動作がなされる。ここで、上記第１整流素子においてサージ電圧が発生する際には、この第１の共振動作によって蓄積されたサージ電圧を増幅する方向の電流と、第２の共振動作によって蓄積されたサージ電圧を抑止する方向の電流とが、一定期間つり合うようになる。言い換えると、上記第２ブリッジ回路から整流回路内へ、サージ電圧を抑制する方向のエネルギー（サージ電圧抑止エネルギー）が注入される。したがって、第１整流素子に加わる逆電圧が一定期間、直流入力電圧と第１トランスの１次側および２次側巻線とから定まる本来印加されるべき電圧値よりも低くなり、サージ電圧の上昇が抑制される。なお、第１スイッチング素子のうち互いに直列接続された一対のスイッチング素子は、第２ブリッジ回路における一対のスイッチング素子としても兼用されていることから、使用するスイッチング素子数が少なくなり、回路構成が簡素化する。
【手続補正４】
【補正対象書類名】明細書
【補正対象項目名】００１２
【補正方法】変更
【補正の内容】
【００１２】
本発明の第２のスイッチング電源装置は、４つの第１スイッチング素子を含んで構成され、直流入力電圧に基づいて入力交流電圧を生成するフルブリッジ型の第１ブリッジ回路と、第１スイッチング素子に対してそれぞれ並列接続された第１容量素子と、第１ブリッジ回路にＨブリッジ接続され、第１容量素子と共に第１共振回路を構成する第１インダクタと、入力交流電圧を変圧して出力交流電圧を生成する第１トランスと、第１トランスの２次側に設けられると共に複数の第１整流素子を含んで構成され、これら複数の第１整流素子によって前記出力交流電圧を整流することにより直流出力電圧を生成する整流回路と、互いに直列接続された一対の第２スイッチング素子と互いに直列接続された一対の第２容量素子とを含んで構成されると共に、第１ブリッジ回路に並列接続された第２ブリッジ回路と、第２ブリッジ回路にＨブリッジ接続され、第２容量素子と共に第２共振回路を構成する第２インダクタと、第２ブリッジ回路からの入力電圧を変圧して出力電圧を生成し、この出力電圧を整流回路へ供給する第２トランスと、第１ブリッジ回路および第２ブリッジ回路をそれぞれ駆動する駆動回路とを備えたものである。
この第２のスイッチング電源装置は、上記第１のスイッチング電源装置とは異なり、スイッチング素子を兼用することなく、第１のブリッジ回路と第２ブリッジ回路とを互いに独立して構成したものである。但し、上記の第１および第２の共振動作が行われる点や、第２ブリッジ回路から整流回路内へサージ電圧を抑制する方向のエネルギーが注入される点を含めて、基本動作は上記第１のスイッチング電源装置の場合と同様である。
本発明の第１および第２のスイッチング電源装置では、上記第２ブリッジ回路が、一対の第２容量素子にそれぞれ並列接続された第３スイッチング素子をさらに有するようにすると共に、第１トランスの１次側巻線と２次側巻線との巻き数比が、第２トランスの１次側巻線と２次側巻線との巻き数比とで異なるようにし、上記駆動回路が、直流入力電圧の大きさに応じて第１ブリッジ回路と第２ブリッジ回路とを選択的に動作させるように構成することが可能である。このように構成した場合、第２ブリッジ回路においてもスイッチング動作を行うことが可能となると共に、第１ブリッジ回路から行う場合とは異なる電圧変換比率で直流出力電圧を供給することができる。したがって、入力電圧の大きさに応じてこれらが選択的に動作することで、目標の出力電圧を供給可能な入力電圧の範囲が、より広がる。なお、この場合において、上記第３スイッチング素子を電界効果型トランジスタにより構成し、上記第２容量素子を、この電界効果型トランジスタの寄生容量により構成するようにしてもよい。このように構成した場合、使用する素子数が少なくなり、回路構成が簡素化する。
【手続補正５】
【補正対象書類名】明細書
【補正対象項目名】００１３
【補正方法】変更
【補正の内容】
【００１３】
本発明の第１および第２のスイッチング電源装置では、上記第２ブリッジ回路が、一対の第２容量素子の少なくとも一方と並列に逆極性接続された第２整流素子をさらに有するようにするのが好ましい。このように構成した場合、上記サージ電圧が発生する際のリンギング動作が抑制される。なお、この場合において、上記第２ブリッジ回路が、第１のブリッジ回路と並列接続された電界効果型トランジスタを含むようにし、上記第２整流素子をこの電界効果型トランジスタの寄生ダイオードにより構成すると共に、上記第２容量素子をこの電界効果型トランジスタの寄生容量により構成するようにしてもよい。このように構成した場合、使用する素子数が少なくなり、回路構成が簡素化する。
【手続補正６】
【補正対象書類名】明細書
【補正対象項目名】００１４
【補正方法】変更
【補正の内容】
【００１４】
本発明の第１および第２のスイッチング電源装置では、上記第１のスイッチング素子や上記第１整流素子を電界効果型トランジスタにより構成し、上記第１容量素子や第１整流素子を、この電界効果型トランジスタの寄生容量または寄生ダイオードにより構成するようにしてもよい。
【手続補正７】
【補正対象書類名】明細書
【補正対象項目名】００１５
【補正方法】変更
【補正の内容】
【００１５】
本発明の第１および第２のスイッチング電源装置では、上記整流回路を、２つの第１整流素子を含んで構成されたセンタタップ型のもの、あるいは４つの第１整流素子を含んで構成されたフルブリッジ型のものとすることが可能である。なお、上記サージ電圧の最大値（ピーク値）は、例えばこのセンタタップ型の場合で２×Ｖin／ｎ程度、フルブリッジ型の場合で１×Ｖin／ｎ程度となり、従来よりも低くすることができる。
【手続補正８】
【補正対象書類名】明細書
【補正対象項目名】００１６
【補正方法】変更
【補正の内容】
【００１６】
本発明の第１および第２のスイッチング電源装置では、上記第１トランスおよび第２トランスを単一の磁気素子から構成すると共に、この磁気素子が以下の（Ａ）〜（Ｅ）の構成要素を有し、かつ（Ｆ）〜（Ｋ）の構成内容を満たすようにするのが好ましい。
（Ａ）中足部と、この中足部を共有しつつ中足部と共にループ磁路をそれぞれ構成する複数の外足部とを含んで構成された磁芯
（Ｂ）中足部に巻回され、入力交流電圧または入力電圧の一方の電圧が入力される入力中足コイル
（Ｃ）中足部に巻回され、出力交流電圧または出力電圧の一方の電圧を出力する出力中足コイル
（Ｄ）外足部に巻回され、入力交流電圧または入力電圧の他方の電圧が入力される入力外足コイル
（Ｅ）外足部に巻回され、出力交流電圧または出力電圧の他方の電圧を出力する出力外足コイル
（Ｆ）入力外足コイルが、それぞれ、一のループ磁路の外足部に巻回された第１の入力外足コイル部と、他の一のループ磁路の外足部に巻回された第２の入力外足コイル部とを直列に接続して構成されていること
（Ｇ）出力外足コイルが、それぞれ、一のループ磁路の外足部に巻回された第１の出力外足コイル部と、他の一のループ磁路の外足部に巻回された第２の出力外足コイル部とを直に接続して構成されていること
（Ｈ）第１および第２の入力外足コイル部の巻き方向が同極性方向であると共に、これら第１および第２の入力外足コイル部の巻数が互いに等しいこと
（Ｉ）第１および第２の出力外足コイル部の巻き方向が同極性方向であると共に、これら第１および第２の出力外足コイル部の巻数が互いに等しいこと
（Ｊ）入力外足コイルが、この入力外足コイルを流れる電流によって複数の外足部にそれぞれ生ずる磁束が中足部において互いに相殺し合うような態様で外足部に巻回されていること
（Ｋ）出力外足コイルが、この出力外足コイルを流れる電流によって複数の外足部にそれぞれ生ずる磁束が中足部において互いに相殺し合うような態様で外足部に巻回されていること
【手続補正９】
【補正対象書類名】明細書
【補正対象項目名】００１８
【補正方法】変更
【補正の内容】
【００１８】
本発明の第３のスイッチング電源装置は、直流入力電圧をスイッチングして入力交流電圧を生成するフルブリッジ型のブリッジ回路と、この入力交流電圧を変圧して出力交流電圧を生成するトランスと、このトランスの２次側に設けられると共に複数の整流素子を含んで構成され、これら複数の整流素子によって上記出力交流電圧を整流することにより直流出力電圧を生成する整流回路と、上記ブリッジ回路に並列接続され、整流素子に加わるサージ電圧を抑止する方向のサージ電圧抑止エネルギーを整流回路内に注入するサージ電圧抑止回路と、ブリッジ回路およびサージ電圧抑止回路をそれぞれ駆動する駆動回路とを備えたものである。
【手続補正１０】
【補正対象書類名】明細書
【補正対象項目名】００１９
【補正方法】変更
【補正の内容】
【００１９】
本発明の電圧変換方法は、スイッチング電源装置に対して適用されるものであって、フルブリッジ型のブリッジ回路によって直流入力電圧をスイッチングすることで入力交流電圧を生成し、トランスによってこの入力交流電圧を変圧することで出力交流電圧を生成し、このトランスの２次側に設けられると共に複数の整流素子を含んで構成された整流回路によって、上記出力交流電圧を整流して直流出力電圧を生成し、上記ブリッジ回路に並列接続されたサージ電圧抑止回路によって、整流素子に加わるサージ電圧抑止エネルギーを整流回路内に注入するようにしたものである。
【手続補正１１】
【補正対象書類名】明細書
【補正対象項目名】００２０
【補正方法】変更
【補正の内容】
【００２０】
本発明の第３のスイッチング電源装置および電圧変換方法では、ブリッジ回路へ入力された直流入力電圧から入力交流電圧が生成され、さらにこの入力交流電圧がトランスによって変圧されることで、出力交流電圧が生成される。そしてこの出力交流電圧が整流回路内の整流素子によって整流され、直流出力電圧として出力される。また、サージ電圧抑止回路によって、整流素子に加わるサージ電圧を抑止する方向のサージ電圧抑止エネルギーが、整流回路内に注入される。したがって、整流素子に加わる逆電圧が一定期間、直流入力電圧とトランスの１次側および２次側巻線とから定まる本来印加されるべき電圧値よりも低くなり、従来と比べてサージ電圧の上昇が抑制される。
【手続補正１２】
【補正対象書類名】明細書
【補正対象項目名】００２１
【補正方法】変更
【補正の内容】
【００２１】
本発明の第３のスイッチング電源装置では、サージ電圧抑止エネルギーが、ブリッジ回路から供給されるサージ電圧増幅エネルギーとは逆位相となるように、ブリッジ回路およびサージ電圧抑止回路をそれぞれ駆動する構成が可能である。また、ブリッジ回路から供給されるサージ電圧を増幅する方向の第１の電流と、サージ電圧抑止エネルギーに基づくサージ電圧を抑止する方向の第２の電流とがつり合うことにより、一定期間、整流素子に加わる逆電圧が、直流入力電圧とトランスの１次側および２次側巻線とから定まる電圧よりも低い状態を保つこととなるように駆動する構成が可能である。さらに、サージ電圧抑止エネルギーの注入によって、整流素子に加わる逆電圧が段階的に上昇するように駆動する構成が可能である。
【手続補正１３】
【補正対象書類名】明細書
【補正対象項目名】００２２
【補正方法】変更
【補正の内容】
【００２２】
本発明の第１ないし第３のスイッチング電源装置または電圧変換方法によれば、整流素子に加わるサージ電圧を抑止する方向のエネルギーを整流回路内へ注入するようにしたので、この整流素子に加わる逆電圧を一定期間、本来印加されるべき電圧値よりも低くすることができ、サージ電圧の上昇をより効果的に抑制することが可能となる。
【手続補正１４】
【補正対象書類名】明細書
【補正対象項目名】００３１
【補正方法】変更
【補正の内容】
【００３１】
一方、インダクタＬ２０は、その一端が接続点Ｐ２に接続され、その他端がトランス３２の１次側巻線Ｌ２１の一端と接続点Ｐ５で接続されている。このインダクタＬ２０は、第２ブリッジ回路１２内のコンデンサＣ５，Ｃ６と共にＬＣ直列共振回路（第２共振回路）を構成し、この第２共振回路による共振特性を利用することで、上記した整流回路４１，４２内の整流ダイオードに加わるサージ電圧を抑止する方向のエネルギーを、整流回路４１，４２へ供給するようになっている。なお、インダクタＬ１０と同様に、このインダクタＬ２０の代わりに、もしくはインダクタＬ２０に加えて、トランス３２における１次側巻線Ｌ２１のリーケージインダクタンス（図示せず）を用いるようにしてもよい。
【手続補正１５】
【補正対象書類名】明細書
【補正対象項目名】００３７
【補正方法】変更
【補正の内容】
【００３７】
平滑回路５は、チョークコイルＬ５１と出力平滑コンデンサ５２とを含んで構成されて
いる。チョークコイルＬ５１は、出力ラインＬＯに挿入配置されており、その一端はセンタタップＣＴ１，ＣＴ２に接続され、その他端は出力ラインＬＯの出力端子Ｔ３に接続されている。平滑コンデンサ７２は、出力ラインＬＯ（具体的には、チョークコイルＬ５１の他端）と接地ラインＬＧとの間に接続されている。接地ラインＬＧの端部には、出力端子Ｔ４が設けられている。このような構成により平滑回路５では、整流回路４１で整流された直流電圧を平滑化して直流出力電圧Ｖoutを生成し、これを出力端子Ｔ３，Ｔ４から低圧バッテリ（図示せず）に給電するようになっている。
【手続補正１６】
【補正対象書類名】明細書
【補正対象項目名】００３９
【補正方法】変更
【補正の内容】
【００３９】
ここで、第１ブリッジ回路１１は本発明における「第１ブリッジ回路」および「ブリッジ回路」の一具体例に対応し、第２ブリッジ回路１２は本発明における「第２ブリッジ回路」および「サージ電圧抑止回路」の一具体例に対応する。また、スイッチング素子Ｓ１〜Ｓ４は本発明における「第１スイッチング素子」の一具体例に対応する。また、コンデンサＣ１〜Ｃ４は本発明における「第１容量素子」の一具体例に対応し、コンデンサＣ５，Ｃ６は本発明における「第２容量素子」の一具体例に対応する。また、ダイオードＤ５，Ｄ６は本発明における「第２整流素子」の一具体例に対応する。また、トランス３１は本発明における「第１トランス」および「トランス」の一具体例に対応し、トランス３２は本発明における「第２トランス」の一具体例に対応する。また、インダクタＬ１０は本発明における「第１インダクタ」の一具体例に対応し、インダクタＬ２０は本発明における「第２インダクタ」の一具体例に対応する。また、整流回路４１は本発明における「整流回路」の一具体例に対応し、整流ダイオード４１Ａ，４１Ｂは本発明における「第１整流素子」の一具体例に対応する。
【手続補正１７】
【補正対象書類名】明細書
【補正対象項目名】００７６
【補正方法】変更
【補正の内容】
【００７６】
なお、本実施の形態のスイッチング電源装置では、第２ブリッジ回路１２が、直列接続からなる一対のコンデンサＣ５，Ｃ６と、これらコンデンサＣ５，Ｃ６に対してそれぞれ並列接続されたダイオードＤ５，Ｄ６とを含んで構成されている場合について説明してきたが、例えば図１１に示したように、第２ブリッジ回路１２がダイオードＤ５，Ｄ６を含まないような構成としてもよい。このように構成した場合、ダイオードＤ５，Ｄ６を設けることなく上記効果を得ることができ、回路構成を簡素化することができる。ただし、本実施の形態の場合とは異なり、コンデンサＣ５，Ｃ６に対して、接続点Ｐ３から１次側高圧ラインＬ１Ｈへの方向、あるいは１次側低圧ラインから接続点Ｐ３への方向に流れるようとする電流を、ダイオードＤ５，Ｄ６の経路へ流してやることができないため、図２や図１０における（Ｇ）ＶＰ３，（Ｈ）Ｖ２０，（Ｉ）Ｖ２１，（Ｋ）Ｖ４１Ａ，（Ｌ）Ｖ４１Ｂ，（Ｍ）Ｖ４２Ａ，（Ｋ）Ｖ４２Ｂにおいて、リンギングが発生することとなる。
【手続補正１８】
【補正対象書類名】明細書
【補正対象項目名】００７７
【補正方法】変更
【補正の内容】
【００７７】
また、例えば図１２に示したように、図１の構成におけるコンデンサＣ５，Ｃ６および
ダイオードＤ５，Ｄ６に対して、さらにスイッチング素子Ｓ５，Ｓ６（第３スイッチング素子）をそれぞれ並列接続するように構成してもよい。この場合において、これらスイッチング素子をＭＯＳ−ＦＥＴから構成した場合には、コンデンサＣ５，Ｃ６やダイオードＤ５，Ｄ６を、このＭＯＳ−ＦＥＴの寄生容量や寄生ダイオードから構成することが可能となる。よって、スイッチ素子とは別個にコンデンサＣ５，Ｃ６やダイオードＤ５，Ｄ６を設ける必要がなくなり、回路構成を簡素化することができる。
【手続補正１９】
【補正対象書類名】明細書
【補正対象項目名】００８１
【補正方法】変更
【補正の内容】
【００８１】
具体的には、第１ブリッジ回路１１は、４つのスイッチング素子Ｓ１，Ｓ２，Ｓ３１，
Ｓ４１（第１スイッチング素子）と、これらスイッチング素子Ｓ１，Ｓ２，Ｓ３１，Ｓ４１に対してそれぞれ並列接続されたコンデンサＣ１，Ｃ２，Ｃ３１，Ｃ４１およびダイオードＤ１，Ｄ２，Ｄ３１，Ｄ４１とを有しており、フルブリッジ型の回路構成となっている。
【手続補正２０】
【補正対象書類名】明細書
【補正対象項目名】００８２
【補正方法】変更
【補正の内容】
【００８２】
一方、第２ブリッジ回路１２は、第１ブリッジ回路１１に並列接続されており、直列接
続からなる一対のスイッチング素子Ｓ３２，Ｓ４２（第２スイッチング素子）と、これらスイッチング素子Ｓ３２，Ｓ４２に対してそれぞれ並列接続されたコンデンサＣ３２，Ｃ４２およびダイオードＤ３２，Ｄ４２と、直列接続からなる一対のコンデンサＣ５，Ｃ６（第２容量素子）と、これらコンデンサＣ５，Ｃ６に対してそれぞれ並列接続されたダイオードＤ５，Ｄ６とを有している。
【手続補正２１】
【補正対象書類名】明細書
【補正対象項目名】００９４
【補正方法】変更
【補正の内容】
【００９４】
以上のように、本実施の形態のスイッチング電源装置では、ブリッジ回路１２におけるダイオードＤ５，Ｄ６や、整流回路４２における整流ダイオード４２Ａ，４２Ｂを流れる電流の時比率を小さくすることにより、これらの素子での導電損失を低減するようにしたので、上記第１の実施の形態における効果に加え、装置の効率をより向上させることが可能となる。また、これらの素子での導電損失を低減させることで、素子での発熱を抑制することも可能となり、さらに部品コストを低減することも可能となる。
【手続補正２２】
【補正対象書類名】明細書
【補正対象項目名】０１１１
【補正方法】変更
【補正の内容】
【０１１１】
例えば、上記実施の形態では、スイッチング電源装置の回路構成を具体的に挙げて説明したが、回路構成はこれに限定されるものではない。例えば図１８（Ａ），（Ｂ）にそれぞれ示したように、センタタップ型の整流回路４１，４２（図１）に代えて、それらの少なくとも一方を、フルブリッジ型の整流回路４３，４４とするように構成してもよい。具体的には、図１のトランス３１，３２の代わりに、１つの２次側巻線Ｌ１２，Ｌ２２を有するトランス３３，３４をそれぞれ設け、これらトランス３３，３４の２次側に、それぞれ４つの整流ダイオード４３Ａ〜４３Ｄまたは整流ダイオード４４Ａ〜４４Ｄからなるフルブリッジ型の整流回路４３，４４を設けるようにする。このように構成した場合でも、上記実施の形態と同様の効果を得ることができる。なお、これら整流ダイオード４３Ａ〜４３Ｄ，４４Ａ〜４４Ｄも、整流ダイオード４１Ａ，４１Ｂ，４２Ａ，４２Ｂの場合と同様に、それぞれＭＯＳ―ＦＥＴの寄生ダイオードから構成することも可能である。
【手続補正２３】
【補正対象書類名】明細書
【補正対象項目名】０１１２
【補正方法】変更
【補正の内容】
【０１１２】
【図１】本発明の第１の実施の形態に係るスイッチング電源装置の構成を表す回路図である。
【図２】図１のスイッチング電源装置の動作を説明するためのタイミング波形図である。
【図３】図１のスイッチング電源装置の動作を説明するための回路図である。
【図４】図３に続くスイッチング電源装置の動作を説明するための回路図である。
【図５】図４に続くスイッチング電源装置の動作を説明するための回路図である。
【図６】図５に続くスイッチング電源装置の動作を説明するための回路図である。
【図７】図６に続くスイッチング電源装置の動作を説明するための回路図である。
【図８】図７に続くスイッチング電源装置の動作を説明するための回路図である。
【図９】図８に続くスイッチング電源装置の動作を説明するための回路図である。
【図１０】図９に続くスイッチング電源装置の動作を説明するためのタイミング波形図である。
【図１１】第１の実施の形態の変形例に係るスイッチング電源装置の構成を表す回路図である。
【図１２】第１の実施の形態の他の変形例に係るスイッチング電源装置の構成を表す回路図である。
【図１３】本発明の第２の実施の形態に係るスイッチング電源装置の構成を表す回路図である。
【図１４】本発明の第３の実施の形態に係るスイッチング電源装置の構成を表す回路図である。
【図１５】図１４のスイッチング電源装置の動作を説明するためのタイミング波形図である。
【図１６】本発明の第４の実施の形態に係るスイッチング電源装置の要部構成を表す回路図である。
【図１７】図１６の磁気素子内の磁束の流れについて説明するための概念図である。
【図１８】本発明の変形例に係る整流回路の構成を表す回路図である。
【手続補正２４】
【補正対象書類名】図面
【補正対象項目名】図１
【補正方法】変更
【補正の内容】
【図１】
2006333667.tif 000001
【手続補正２５】
【補正対象書類名】図面
【補正対象項目名】図３
【補正方法】変更
【補正の内容】
【図３】
2006333667.tif 000002
【手続補正２６】
【補正対象書類名】図面
【補正対象項目名】図４
【補正方法】変更
【補正の内容】
【図４】
2006333667.tif 000003
【手続補正２７】
【補正対象書類名】図面
【補正対象項目名】図５
【補正方法】変更
【補正の内容】
【図５】
2006333667.tif 000004
【手続補正２８】
【補正対象書類名】図面
【補正対象項目名】図６
【補正方法】変更
【補正の内容】
【図６】
2006333667.tif 000005
【手続補正２９】
【補正対象書類名】図面
【補正対象項目名】図７
【補正方法】変更
【補正の内容】
【図７】
2006333667.tif 000006
【手続補正３０】
【補正対象書類名】図面
【補正対象項目名】図８
【補正方法】変更
【補正の内容】
【図８】
2006333667.tif 000007
【手続補正３１】
【補正対象書類名】図面
【補正対象項目名】図９
【補正方法】変更
【補正の内容】
【図９】
2006333667.tif 000008
【手続補正３２】
【補正対象書類名】図面
【補正対象項目名】図１１
【補正方法】変更
【補正の内容】
【図１１】
2006333667.tif 000009
【手続補正３３】
【補正対象書類名】図面
【補正対象項目名】図１２
【補正方法】変更
【補正の内容】
【図１２】
2006333667.tif 000010
【手続補正３４】
【補正対象書類名】図面
【補正対象項目名】図１３
【補正方法】変更
【補正の内容】
【図１３】
2006333667.tif 000011
【手続補正３５】
【補正対象書類名】図面
【補正対象項目名】図１４
【補正方法】変更
【補正の内容】
【図１４】
2006333667.tif 000012
【手続補正３６】
【補正対象書類名】図面
【補正対象項目名】図１６
【補正方法】変更
【補正の内容】
【図１６】
2006333667.tif 000013